(57)【要約】      （修正有）【課題】水道水に含まれるＣａＣＯ３等の溶存物質を溶存物質析出用シートの表面に析出させて、溶存物質析出用シートを交換することにより、加湿フィルタ構造体の加湿能力を容易かつ低コストで回復させることができる加湿フィルタ構造体を提供する。【解決手段】親水性不織布をブロック状とした加湿フィルタ本体１の風上側の表面３に、親水性及び通気性を有する溶存物質析出用シート４が、着脱自在に重ね合わせられている。シート４が、不織布から成る。【選択図】図２
0003149687.tif 000002
【実用新案登録請求の範囲】
【請求項１】
親水性不織布をブロック状とした加湿フィルタ本体（１）の風上側の表面（３）に、親水性及び通気性を有する溶存物質析出用シート（４）を、着脱自在に重ね合わせたことを特徴とする加湿フィルタ構造体。
【請求項２】
親水性不織布をプリーツ状に折り曲げ又はコルゲート加工してブロック状に積層した固定式加湿フィルタ本体（１ａ）の風上側の表面（３）に、親水性及び通気性を有する溶存物質析出用シート（４）を、着脱自在に重ね合わせたことを特徴とする加湿フィルタ構造体。
【請求項３】
親水性不織布をプリーツ状に折り曲げ又はコルゲート加工して円盤型ブロック状とした回転式加湿フィルタ本体（１ｂ）の風上側の表面（３）に、親水性及び通気性を有する溶存物質析出用シート（４）を、着脱自在に重ね合わせたことを特徴とする加湿フィルタ構造体。
【請求項４】
上記シート（４）が、不織布から成る請求項１,２又は３記載の加湿フィルタ構造体。
【請求項５】
上記シート（４）が、織布から成る請求項１,２又は３記載の加湿フィルタ構造体。
【請求項６】
上記シート（４）が、メッシュ体から成る請求項１,２又は３記載の加湿フィルタ構造体。
【考案の詳細な説明】
【技術分野】
【０００１】
本考案は、加湿フィルタ構造体に関する。
【背景技術】
【０００２】
従来の加湿器にあっては、吸水体から成るフィルタ本体に吸水させて空気を通過させることにより加湿している（例えば、特許文献１参照）。
【０００３】
しかし、水道水に含まれるＣａＣｏ３等の溶存物質がフィルタ本体の（乾燥しやすい）風上側の表面に析出し、吸水能力の低下や風路の閉塞が生じ、加湿能力が低下するという欠点があった。
【先行技術文献】
【特許文献】
【０００４】
【特許文献１】特開２００８−２６７６９９号公報
【考案の概要】
【考案が解決しようとする課題】
【０００５】
解決しようとする課題は、図７に示すように、水道水に含まれるＣａＣｏ３等の溶存物質Ｘがフィルタ本体Ｆの風上側（矢印Ａは、空気の流れる方向を示す。）の表面に析出し、吸水能力の低下や風路の閉塞が生じ、加湿能力が低下する点である。
【課題を解決するための手段】
【０００６】
そこで、本考案に係る加湿フィルタ構造体は、親水性不織布をブロック状とした加湿フィルタ本体の風上側の表面に、親水性及び通気性を有する溶存物質析出用シートを、着脱自在に重ね合わせたものである。
【０００７】
また、親水性不織布をプリーツ状に折り曲げ又はコルゲート加工してブロック状に積層した固定式加湿フィルタ本体の風上側の表面に、親水性及び通気性を有する溶存物質析出用シートを、着脱自在に重ね合わせたものである。
【０００８】
また、親水性不織布をプリーツ状に折り曲げ又はコルゲート加工して円盤型ブロック状とした回転式加湿フィルタ本体の風上側の表面に、親水性及び通気性を有する溶存物質析出用シートを、着脱自在に重ね合わせたものである。
【０００９】
また、上記シートが、不織布から成るものである。
また、上記シートが、織布から成るものである。
また、上記シートが、メッシュ体から成るものである。
【考案の効果】
【００１０】
本考案の加湿フィルタ構造体によれば、水道水に含まれるＣａＣｏ３等の溶存物質を溶存物質析出用シートの表面に析出させて、溶存物質析出用シートを交換したり、溶存物質析出用シートのみを取り外して洗浄して再使用することにより、加湿フィルタ構造体の加湿能力を容易かつ低コストで回復させることができ、加湿フィルタ構造体を長期間にわたって使用することができる。
【図面の簡単な説明】
【００１１】
【図１】第１の実施の形態の使用状態を示す斜視図である。
【図２】分解斜視図である。
【図３】第２の実施の形態を示す斜視図である。
【図４】要部拡大断面図である。
【図５】第３の実施の形態の使用状態を示す斜視図である。
【図６】分解斜視図である。
【図７】従来例を示す要部断面図である。
【考案を実施するための形態】
【００１２】
図１は本考案の第１の実施の形態の使用状態を示し、図２は分解図を示す。この加湿フィルタ構造体は、加湿フィルタ本体１が枠体２の内側に配設されており、加湿フィルタ本体１の下部Ｌが水Ｗに浸漬されて水Ｗを吸い上げ、中間部Ｍないし上部Ｎに空気を通過させることにより空気を加湿するように構成されている。
【００１３】
具体的には、親水性不織布をプリーツ状に折り曲げブロック状に積層した加湿フィルタ本体１（具体的には固定式加湿フィルタ本体１ａ）の風上側の表面３に、親水性及び通気性を有する溶存物質析出用シート４が着脱自在として重ね合わせられている。溶存物質析出用シート４は、不織布から成る。溶存物質析出用シート４の材質は、プラスチック、紙、金属、または、それらの複合材である。溶存物質析出用シート４がピン５にてフィルタ本体１に固着されている。枠体２は、金属またはプラスチックから成る。
【００１４】
図３・図４は第２の実施の形体を示す。溶存物質析出用シート４が面状ファスナー６にて加湿フィルタ本体１に固着されている。具体的には、加湿フィルタ本体１には凹部７が設けられ、凹部７に雌側面状ファスナー６ａが取着されている。そして、溶存物質析出用シート４に雄側面状ファスナー６ｂが取着されている。その他の構成は、第１の実施の形態と同様である。
【００１５】
図５・図６は第３の実施の形態を示す。親水性不織布をコルゲート加工して巻設状に積層して円盤型ブロック状とした加湿フィルタ本体１（具体的には回転式加湿フィルタ本体１ｂ）の風上側の表面３に、溶存物質析出用シート４が、着脱自在として重ね合わせられている。その他の構成は、第１の実施の形態と同様である。
【００１６】
なお、本考案は、加湿フィルタ本体１の内部は常に洗浄されているので、溶存物質Ｘ（図７参照）の析出はないが、室内の乾燥した空気が直接当たる風上側では表面３が乾燥するため最も溶存物質Ｘが析出しやすいことを鑑みて創作されたものである。
【００１７】
本考案は、設計変更可能であって、例えば、第１の実施の形態または第２の実施の形態で、加湿フィルタ本体１が親水性不織布をコルゲート加工してブロック状に積層したものとするも良い。また、第３の実施の形態で、加湿フィルタ本体１を、親水性不織布をプリーツ状に折り曲げて円盤型ブロック状としたものとするも良い。また、第３の実施の形態で、ピン５のかわりに面状ファスナー６によって溶存物質析出用シート４を加湿フィルタ本体１に固着するも良い。また、雌側面状ファスナー６ａを省略して雄側面状ファスナー６ｂのみにて溶存物質析出用シート４を加湿フィルタ本体１に固着するように構成するも良い。また、溶存物質析出用シート４が、織布又はメッシュ体から成るも良い。
【００１８】
以上のように、本考案は、親水性不織布をブロック状とした加湿フィルタ本体１の風上側の表面３に、親水性及び通気性を有する溶存物質析出用シート４を、着脱自在に重ね合わせたので、水道水に含まれるＣａＣｏ３等の溶存物質を溶存物質析出用シート４の表面に析出させて、溶存物質析出用シート４を交換したり、溶存物質析出用シート４のみを取り外して洗浄して再使用することにより、加湿フィルタ構造体の加湿能力を容易かつ低コストで回復させることができ、加湿フィルタ構造体を長期間にわたって使用することができる。
【００１９】
また、親水性不織布をプリーツ状に折り曲げ又はコルゲート加工してブロック状に積層した固定式加湿フィルタ本体１の風上側の表面３に、親水性及び通気性を有する溶存物質析出用シート４を、着脱自在に重ね合わせたので、水道水に含まれるＣａＣｏ３等の溶存物質を溶存物質析出用シート４の表面に析出させて、溶存物質析出用シート４を交換したり、溶存物質析出用シート４のみを取り外して洗浄して再使用することにより、加湿フィルタ構造体の加湿能力を容易かつ低コストで回復させることができ、加湿フィルタ構造体を長期間にわたって使用することができる。
【００２０】
また、親水性不織布をプリーツ状に折り曲げ又はコルゲート加工して円盤型ブロック状とした回転式加湿フィルタ本体１ｂの風上側の表面３に、親水性及び通気性を有する溶存物質析出用シート４を、着脱自在に重ね合わせたので、水道水に含まれるＣａＣｏ３等の溶存物質を溶存物質析出用シート４の表面に析出させて、溶存物質析出用シート４を交換したり、溶存物質析出用シート４のみを取り外して洗浄して再使用することにより、加湿フィルタ構造体の加湿能力を容易かつ低コストで回復させることができ、加湿フィルタ構造体を長期間にわたって使用することができる。
【００２１】
また、シート４が、不織布から成るので、吸水性が良い。
また、シート４が、織布から成るので、吸水性が良い。
また、シート４が、メッシュ体から成るので、通気性が良い。
【符号の説明】
【００２２】
１  加湿フィルタ本体
１ａ  固定式加湿フィルタ本体
１ｂ  回転式加湿フィルタ本体
３  風上側の表面
４  (溶存物質析出用)シート
【図１】
0003149687.tif 000003
【図２】
0003149687.tif 000004
【図３】
0003149687.tif 000005
【図４】
0003149687.tif 000006
【図５】
0003149687.tif 000007
【図６】
0003149687.tif 000008
【図７】
0003149687.tif 000009